(57)【要約】【課題】画像を印刷として出力する場合でも、画像データとして出力する場合であっても、網点上の文字の再現性を向上させつつ、網点部分についても適切に出力することができる画像処理装置等を提供する。【解決手段】画像データを網点領域、網点上文字領域、文字領域又はそれ以外の領域に判定し、当該領域を示す領域分離信号を出力する処理を実行する領域分離処理部と、前記画像データに対して、前記領域分離信号を参照して空間フィルタ処理を実行する空間フィルタ処理部と、を備え、前記空間フィルタ処理部は、前記領域分離信号が網点上文字領域の場合に、入力された画像データの色空間に応じて異なるフィルタ処理を実行することを特徴とする。【選択図】図３
2011223259.tif 000002
【特許請求の範囲】
【請求項１】
画像データを網点領域、網点上文字領域、文字領域又はそれ以外の領域に判定し、当該領域を示す領域分離信号を出力する処理を実行する領域分離処理部と、
前記画像データに対して、前記領域分離信号を参照して空間フィルタ処理を実行する空間フィルタ処理部と、
を備え、
前記空間フィルタ処理部は、前記領域分離信号が網点上文字領域の場合に、入力された画像データの色空間に応じて異なるフィルタ処理を実行することを特徴とする画像処理装置。
【請求項２】
前記領域分離手段は、
対象となる領域が網点と検出された場合に、当該領域に文字が含まれているか否かを判定する網点上文字領域判定部と、
対象となる領域から文字エッジが検出されるか否かを判定する文字エッジ判定部と、
を有し、
前記文字領域判定部の判定結果と、前記文字エッジ判定部の判定結果とに基づいて、網点領域か、網点上文字領域かを示す領域分離信号を出力する処理を実行することを特徴とする請求項１に記載の画像処理装置。
【請求項３】
前記領域分離手段は、前記網点上文字領域判定部により文字が含まれていると判定され、かつ、前記文字エッジ判定部により文字エッジが検出された場合には第１網点上文字領域と判定し、前記網点上文字領域判定部により文字が含まれていないと判定され、かつ、前記文字エッジ判定部により文字エッジが検出された場合には第２網点上文字領域と判定し、
前記空間フィルタ処理部は、前記領域分離信号が第２網点上文字領域の場合に、入力された画像データの色空間に応じて異なるフィルタ処理を実行することを特徴とする請求項１又は２に記載の画像処理装置。
【請求項４】
画像データを入力する画像入力装置と、入力された画像データを処理する画像処理部と、当該画像処理部により処理された画像データから画像を形成する画像形成部と、を備えた画像形成装置において、
前記画像処理部は、請求項１から３の何れか一項に記載の画像処理装置であることを特徴とする画像形成装置。
【請求項５】
画像データを網点領域、網点上文字領域、文字領域又はそれ以外の領域に判定し、判定された領域毎に空間フィルタ処理を実行する画像形成方法において、
前記空間フィルタ処理は、前記判定された領域が網点上文字領域の場合に、入力された画像データの色空間に応じて異なるフィルタ処理を実行することを特徴とする画像処理方法。
【請求項６】
コンピュータに、
画像データを網点領域、網点上文字領域、文字領域又はそれ以外の領域に判定し、当該領域を示す領域分離信号を出力する処理を実行する領域分離処理ステップと、
前記画像データに対して、前記領域分離信号を参照して空間フィルタ処理を実行する空間フィルタ処理ステップと、
を実現させるプログラムであって、
前記空間フィルタ処理ステップは、前記領域分離信号が網点上文字領域の場合に、入力された画像データの色空間に応じて異なるフィルタ処理を実行することを特徴とするプログラム。
【発明の詳細な説明】
【技術分野】
【０００１】
本発明は、画像処理装置、画像形成方法及びプログラムに関する。
【背景技術】
【０００２】
従来からスキャナ等の画像入力装置で読み取られた原稿を画像データとして処理する画像処理装置が知られている。画像処理装置が適用される一例として、デジタル複合機があげられる。デジタル複合機は、原稿に基づいた画像データを、記録用紙上に画像として形成する（印刷する）ことによりコピー機能を実現したり、他のコンピュータ等の端末に画像データを転送することにより、スキャン機能（ＰＵＳＨコピー機能）を実現したりすることが可能である。
【０００３】
このとき、読み取られる原稿には、文字や写真、図形等の様々な種類（領域）が含まれている。特に写真や図形については、印刷時において細かい点（網点）にて構成されており、画像処理装置においても網点領域として判定される。
【０００４】
この網点領域については、原稿の網点間隔と、画像読み取り装置の認識状態によりモアレの発生原因となってしまう。また、画像データと、出力する画像形成部との状態によりモアレが発生する原因となる場合もある。このモアレの発生を抑制するためには平滑化の処理を施すのが望ましい。従って、画像処理装置（デジタル複合機）において、「写真モード」等を選択することにより、画像データに平滑化処理を施すことによりモアレの発生を抑制することが可能である。
【０００５】
他方、文字が記憶されている領域については、鮮鋭に印刷・表示するためには鮮鋭化の処理を施すのが望ましい。従って、画像処理装置（デジタル複合機）において、「文字モード」等を選択することにより、画像データに鮮鋭化処理を施し、文字の再現性を高めることが知られている。
【０００６】
しかし、原稿には通常文字と写真（図形）が混合して含まれている場合がある。このような原稿に対して、例えば特許有文献１では、注目画素が所定の文字サイズより細い文字のエッジ部分又は太い文字のエッジ部分については文字エッジ領域と判定し、小領域における濃度の変動が大きい又は背景に比べて網点の濃度が高い部分については網点領域と判定し、網点領域に対しては平滑化フィルタをかけてモアレの発生を抑制し、文字エッジ領域に対しては鮮鋭化フィルタをかけて文字の再現性を高めることが開示されている。
【先行技術文献】
【特許文献】
【０００７】
【特許文献１】特開２００３−２２４７１８号公報
【発明の概要】
【発明が解決しようとする課題】
【０００８】
しかし、上述した特許文献１では、出力される画像データが、印刷に用いられるのか、表示用（画像データ）として用いられるのかは考慮されていない。すなわち、コピー機能で用いられる画像データと、スキャナ機能で用いられる画像データでは、モアレの発生要因が異なるため、印刷用に併せて処理された画像データは、コピー機能では有効であるものの、スキャナ機能（画像データ）として用いられた場合には、鮮明な画像が得られないといった問題が生じていた。
【０００９】
とくに、網点領域の中に文字が含まれる場合（すなわち、網点の上に文字が重畳している場合）、単純に平滑化処理が施されてしまうと、全体的にぼけた画像となるため、コピー機能においては問題が無いが、スキャナ機能として利用した画像データの場合、文字の再現性が悪くなってしまうといった問題が生じていた。
【００１０】
また、全体的に鮮鋭化の処理を施すと、文字の再現性は高くなるため、スキャナ機能として利用した画像データの場合は良いが、コピー機能（印刷）として利用した場合、文字の下の網点にモアレが発生してしまうといった不具合が生じていた。
【００１１】
上述した課題に鑑み、本発明の目的は、画像を印刷として出力する場合でも、画像データとして出力する場合であっても、網点上の文字の再現性を向上させつつ、網点部分についても適切に出力することができる画像処理装置等を提供することである。
【課題を解決するための手段】
【００１２】
上述した課題に鑑み、本発明画像処理装置は、
画像データを網点領域、網点上文字領域、文字領域又はそれ以外の領域に判定し、当該領域を示す領域分離信号を出力する処理を実行する領域分離処理部と、
前記画像データに対して、前記領域分離信号を参照して空間フィルタ処理を実行する空間フィルタ処理部と、
を備え、
前記空間フィルタ処理部は、前記領域分離信号が網点上文字領域の場合に、入力された画像データの色空間に応じて異なるフィルタ処理を実行することを特徴とする。
【００１３】
また、本発明の画像処理装置において、前記領域分離手段は、
対象となる領域が網点と検出された場合に、当該領域に文字が含まれているか否かを判定する網点上文字領域判定部と、
対象となる領域から文字エッジが検出されるか否かを判定する文字エッジ判定部と、
を有し、
前記文字領域判定部の判定結果と、前記文字エッジ判定部の判定結果とに基づいて、網点領域か、網点上文字領域かを示す領域分離信号を出力する処理を実行することを特徴とする。
【００１４】
また、本発明の画像処理装置において、前記領域分離手段は、前記網点上文字領域判定部により文字が含まれていると判定され、かつ、前記文字エッジ判定部により文字エッジが検出された場合には第１網点上文字領域と判定し、前記網点上文字領域判定部により文字が含まれていないと判定され、かつ、前記文字エッジ判定部により文字エッジが検出された場合には第２網点上文字領域と判定し、
前記空間フィルタ処理部は、前記領域分離信号が第２網点上文字領域の場合に、入力された画像データの色空間に応じて異なるフィルタ処理を実行することを特徴とする。
【００１５】
本発明の画像形成装置は、画像データを入力する画像入力装置と、入力された画像データを処理する画像処理部と、当該画像処理部により処理された画像データから画像を形成する画像形成部と、を備えた画像形成装置において、
前記画像処理部は、上述した発明の画像処理装置であることを特徴とする。
【００１６】
本発明の画像形成方法は、画像データを網点領域、網点上文字領域、文字領域又はそれ以外の領域に判定し、判定された領域毎に空間フィルタ処理を実行する画像形成方法において、
前記空間フィルタ処理は、前記判定された領域が網点上文字領域の場合に、入力された画像データの色空間に応じて異なるフィルタ処理を実行することを特徴とする。
【００１７】
本発明のプログラムは、コンピュータに、
画像データを網点領域、網点上文字領域、文字領域又はそれ以外の領域に判定し、当該領域を示す領域分離信号を出力する処理を実行する領域分離処理ステップと、
前記画像データに対して、前記領域分離信号を参照して空間フィルタ処理を実行する空間フィルタ処理ステップと、
を実現させるプログラムであって、
前記空間フィルタ処理ステップは、前記領域分離信号が網点上文字領域の場合に、入力された画像データの色空間に応じて異なるフィルタ処理を実行することを特徴とする。
【発明の効果】
【００１８】
本発明によれば、画像データを網点領域、網点上文字領域、文字領域又はそれ以外の領域に判定し、当該領域を示す領域分離信号を出力し、画像データに対して、前記領域分離信号を参照して空間フィルタ処理を実行する。このとき、前記領域分離信号が網点上文字領域の場合に、入力された画像データの色空間に応じて異なるフィルタ処理を実行することが可能となる。すなわち、例えば色空間がＲＧＢの画像に対しては鮮鋭化のフィルタ処理を実行し、色空間がＣＭＹＫの画像に対しては平滑化のフィルタ処理を実行する。これにより、画像データの利用目的（例えば、印刷するのか、画像データとしてそのまま利用するのか）に応じた適切な処理を施すことが可能となる。
【００１９】
また、本発明によれば、網点上文字領域に文字が含まれていないと判定されたが、文字エッジが検出された場合には入力された画像データの色空間に応じて異なるフィルタ処理を実行することとなる。すなわち、網点上文字に対してより適切な処理を施すことにより、網点上の文字に対してより高い効果を得ることが可能となる。
【図面の簡単な説明】
【００２０】
【図１】本実施形態における画像処理装置（デジタル複合機）の断面図である。
【図２】本実施形態における画像処理装置の全体構成を示した機能構成図である。
【図３】本実施形態における画像処理部の機能構成を説明するための図である。
【図４】本実施形態における領域分離処理部の機能構成を説明するための図である。
【図５】本実施形態における領域分離処理部の動作を説明するために用いられる図である。
【図６】本実施形態における領域分離処理部の動作を説明するために用いられる図である。
【図７】本実施形態における領域分離処理部の動作を説明するために用いられる図である。
【図８】本実施形態における領域分離処理部の動作を説明するために用いられる図である。
【図９】本実施形態における領域分離処理部の動作を説明するために用いられる図である。
【図１０】本実施形態における有彩無彩判定部の機能構成を説明するために用いられる図である。
【図１１】本実施形態における出力される文字エッジ信号の状態を説明するために用いられる図である。
【図１２】本実施形態における出力される領域分離信号の状態を説明するために用いられる図である。
【図１３】本実施形態において適用されるフィルタ処理について説明するために用いられる図である。
【発明を実施するための形態】
【００２１】
以下、図面を参照して本発明を実施するための最良の形態について説明する。なお、本実施形態では、一例として、本発明における画像処理装置を、デジタル複合機に適用した場合について説明する。
【００２２】
〔１．装置構成〕
まず、図１は、本発明を適用した画像処理装置１００の構成例を示す図である。画像処理装置１００は、外部から伝達された画像データに応じて、所定のシート（記録用紙）に対して多色及び単色の画像を形成するもので、装置本体１１０と、自動原稿処理装置１２０とを備えて構成されている。また、装置本体１１０は、露光ユニット１と、現像器２と、感光体ドラム３と、クリーナユニット４と、帯電器５と、中間転写ベルトユニット６と、定着ユニット７と、給紙カセット８１と、排紙トレイ９１とを有して構成されている。
【００２３】
装置本体１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができるようになっている。
【００２４】
画像処理装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック（Ｋ）、シアン（Ｃ）、マゼンタ（Ｍ）、イエロー（Ｙ）に設定され、これらによって４つの画像ステーションが構成されている。
【００２５】
帯電器５は、感光体ドラム３の表面を所定の電位に均一に帯電させるための帯電手段であり、図１に示すようなチャージャ型の他、接触型のローラ型やブラシ型の帯電器が用いられることもある。露光ユニット１は、本発明に関わる画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００２６】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２７】
感光体ドラム３の上方に配置されている中間転写ベルトユニット６は、中間転写ベルト６１、中間転写ベルト駆動ローラ６２、中間転写ベルト従動ローラ６３、中間転写ローラ６４及び中間転写ベルトクリーニングユニット６５を備えている。上記中間転写ローラ６４は、ＹＭＣＫ用の各色に対応して４本設けられている。
【００２８】
中間転写ベルト駆動ローラ６２、中間転写ベルト従動ローラ６３及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００２９】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３０】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３１】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３２】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０又は前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３３】
また、上記のように、感光体ドラム３に接触することにより中間転写ベルト６１に付着したトナー又は転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３４】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３５】
また、装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ、レジストローラ１３、転写ローラ１０及び定着ユニット７等が配されている。
【００３６】
搬送ローラ１２ａ〜１２ｄは、シートの搬送を促進・補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３７】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３８】
定着ユニット７は、ヒートローラ７１及び加圧ローラ７２を備えており、ヒートローラ７１及び加圧ローラ７２は、シートを挟んで回転するようになっている。また、ヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から定着するための外部定着ベルト７３が設けられている。
【００３９】
次に、シート搬送経路を詳細に説明する。上述のように、画像処理装置には予めシートを収納する給紙カセット８１及び手差し給紙カセット８２が設けられている。これら給紙カセット８１、８２からシートを給紙するために、各々ピックアップローラ１１ａ、１１ｂが配置され、シートを１枚ずつ搬送路Ｓに導くようになっている。
【００４０】
各給紙カセット８１、８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００４１】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ、１２ｄに導く。そしてその後レジストローラ１３を経てシート裏面に印字が行われた後にシートが排紙トレイ９１に排出される。
【００４２】
［２．機能構成］
［２．１  全体構成］
続いて、画像処理装置１００の機能構成について、図２を用いて説明する。画像処理装置1００は、制御部１０００に、画像処理部２０００と、画像形成部３０００と、定着部３４００と、読取部３４００と、記憶部４０００と、表示部５０００と、入力部６０００と、インタフェース部７０００と、周辺装置制御部８０００とが接続されて構成されている。
【００４３】
制御部１０００は、画像処理装置１００の全体を制御するための機能部である。制御部１０００は、記憶部４０００に記憶されている各種プログラムを読み出して実行することにより各種機能を実現しており、例えばＣＰＵ（Central Process Unit）等により構成されている。
【００４４】
画像処理装置１００は、例えばスキャナとプリンタと周辺機器とを備えた複合機であり、複合機に関する機能を有している。具体的には、画像処理部２０００が制御することとなるが、読取部３０００により読み取られた原稿画像を適正な電気信号に変換して画像データを生成する。
【００４５】
読取部３０００は、原稿からＣＣＤ等により画像データを生成する機能部であり、例えばスキャナ等により構成されている。また、画像形成部３０００は、生成された画像データをトナーを用いて顕像化する機能部である。また、定着部３４００（図１の定着ユニット７）は、画像形成部３２００で顕像化された転写紙に加熱定着して固定する機能部である。このように、画像処理部２０００が制御することにより、読取部３０００、画像形成部３２００及び定着部３４００により画像が形成される。
【００４６】
記憶部４０００は、画像処理装置１００が動作するのに必要な各種プログラム及びデータ等が記憶されている機能部であり、例えば画像処理装置１００の上面に配置される操作パネル（表示部５０００、入力部６０００）を介する印刷命令、画像処理装置１００の内部の各所に配置される図示しない各種センサなどからの検知情報、外部機器からインタフェース部７０００を介して入力される画像情報等が記憶されている。
【００４７】
また、記憶部４０００は、この分野で常用されるものにより構成されており、例えば、ＲＯＭ（Read Only Memory）、ＲＡＭ（Random Access Memory）といった半導体メモリや、ハードディスクドライブ（ＨＤＤ）といった磁気ディスク等が挙げられる。
【００４８】
表示部５０００は、利用者に対して各種情報を報知したり、画像処理装置１００の状態を表示したりするための機能部である。表示部５０００は、例えばＬＣＤや有機ＥＬディスプレイ等の表示装置により構成されている。
【００４９】
また、入力部６０００は、利用者からの各種操作等が入力される機能部であり、例えば、操作ボタンや操作パネル等により構成されている。また、表示部５０００と、入力部６０００とをタッチパネルを利用し、一体に構成しても良い。
【００５０】
インタフェース部７０００は、画像処理装置１００をネットワークに接続するためのネットワークインタフェースや、外部機器に接続するためのＵＳＢインタフェース等を提供するための機能部である。ここで、インタフェース部７０００に接続される外部機器としては、画像情報の形成または取得が可能であり、画像処理装置１００に電気的に接続可能な電気・電子機器を使用でき、例えば、コンピュータ、デジタルカメラ、メモリカード等が挙げられる。
【００５１】
周辺装置制御部８０００は、画像処理装置１００に接続される周辺装置、例えば後処理装置であるフィニッシャやソータ等を制御する機能部である。
【００５２】
［２．２  画像処理部の構成］
ここで、本実施形態における画像処理部２０００について、図３を用いて詳細に説明する。図３に示すように、画像処理部２０００は、Ａ／Ｄ変換部２１００と、シェーディング補正部２２００と、入力階調補正部２３００と、領域分離処理部２４００と、印刷処理部２５００と、ＰＵＳＨ処理部２６００とを備えて構成されている。また、印刷処理部２５００には、色補正部２５１０と、黒生成下色除去部２５２０と、空間フィルタ処理部２５３０と、出力階調補正部２５４０と、（中間調生成）階調再現処理部２５５０とが含まれており、ＰＵＳＨ処理部２６００には、色補正部２６１０と、空間フィルタ処理部２６２０とが含まれている。
【００５３】
まず、入力部６０００を用いることによって利用者が指定した設定内容に応じて、画像入力装置（例えば、読取部３０００）に読取られたＲＧＢアナログ画像信号をＣＭＹＫ（Ｃ：シアン、Ｍ：マゼンダ、Ｙ：イエロー、Ｋ：黒）のデジタル信号に変換し、当該デジタル信号を画像出力装置（例えば、画像形成部３２００）に出力する。
【００５４】
まず、画像入力装置からＲＧＢアナログ信号が入力されると、Ａ／Ｄ変換部２１００によりデジタルのＲＧＢ信号に変換される。そして、Ａ／Ｄ変換部２１００から出力されたデジタルのＲＧＢ信号に対して、画像入力装置の照明系、結像系及び撮像系で生じる各種の歪みを取り除く処理をシェーディング補正部２２００により実行する。
【００５５】
次に、入力階調補正部２３００は、シェーディング補正部２２００にから入力されたＲＧＢ信号に対して、カラーバランスを整えると同時に、濃度信号等を、カラーの画像処理装置に採用されている画像処理システムにとって扱いやすい信号に変換する処理を行う。
【００５６】
次に、入力階調補正部２３００から出力されたＲＧＢ信号は、領域分離処理部２４００に入力される。ここで、領域分離処理部２４００は、入力されたＲＧＢ信号から、原稿の画像を、例えば、文字エッジ領域、網点領域、高濃度写真領域、及び低濃度写真領域に分離する。以後、原稿の画像を、例えば、文字エッジ領域、網点領域、網点上文字、高濃度写真領域及び低濃度写真領域の各領域に分離することを、「領域分離」と呼ぶ。
【００５７】
そして、領域分離された信号は、印刷をする場合は印刷処理部２５００に、ＰＵＳＨスキャン（すなわち、画像データとしてそのまま保存又は他に画像データを転送する等）をする場合はＰＵＳＨ処理部２６００に出力される。
【００５８】
なお、本実施形態においては、領域分離処理部２４００から出力される色空間はＲＧＢの色空間の信号が出力されることとなる。
【００５９】
［２．２．１  印刷処理部］
ここで、印刷処理部２５００の処理について説明する。まず、領域分離処理部２４００から出力されたＲＧＢ信号は、色補正部２５１０に入力される。色補正部２５１０は、色再現の忠実化実現のために、不要吸収成分を含むＣＭＹ色材の分光特性に基づいた色濁りを取り除く処理を行なって、色補正後のＣＭＹの３色信号を出力する。すなわち、ＲＧＢから、ＣＭＹ（Ｋ）に色空間が変更されることとなる。
【００６０】
続いて、黒作成下色除去部２５２０は、色補正後のＣＭＹの３色信号から黒（Ｋ）信号を生成する黒生成処理と、元のＣＭＹ信号から黒生成処理で得た黒信号を差引いて新たなＣＭＹ信号を出力する処理とを実行する。これにより、ＣＭＹＫ信号が出力される。
【００６１】
黒作成下色除去部２５２０から出力されたＣＭＹＫ信号は、空間フィルタ処理部２５３０に入力される。空間フィルタ処理部２５３０は、色空間としてＣＭＹＫ信号の画像データに対して、領域分離処理部１０８による領域分離結果を基にデジタルフィルタによる空間フィルタ処理を行ない、空間周波数特性を補正することによって出力画像のぼやけ及び粒状性劣化を防ぐように処理する。
【００６２】
続いて、空間フィルタ処理部２５３０から出力されたＣＭＹＫ信号は、出力階調補正部２５４０に入力される。出力階調補正部２５４０は、画像形成部３２００にとっての特性値である網点面積率に変換する出力階調補正処理を実行する。
【００６３】
そして、出力階調補正部２５４０から出力されたＣＭＹＫ信号は、階調再現処理部２５５０に入力される。階調再現処理部２５５０は、入力されたＣＭＹＫ信号を画素に分離して、各階調を再現できるように処理する階調再現処理を実行する。そして、階調再現処理部２５５０から出力されたＣＭＹＫ信号は、画像出力装置（例えば画像形成部３２００）に出力されることにより、画像が形成される。
【００６４】
ここで、上記の黒生成下色除去部２５２０で実行される黒生成処理の一般的な方法として、スケルトンブラックによる黒生成を行なう方法がある。その方法を以下に示す。
【００６５】
ここで、スケルトンカーブの入出力特性をｙ＝ｆ（ｘ）とし、ＵＣＲ（Ｕｎｄｅｒ  Ｃｏｌｏｒ  Ｒｅｍｏｖａｌ）率をα（０＜α＜１）とし、色補正部２５１０から黒生成下色除去部２５２０に入力されるデータをＣ、Ｍ、Ｙとし、黒生成下色除去部２５２０によって出力されるデータをＣ’、Ｍ’、Ｙ’、Ｋ’とする。そうすると、Ｃ’、Ｍ’、Ｙ’、Ｋ’は、下記の式で出力される。
【数１】
2011223259.tif 000003
【００６６】
空間フィルタ処理部２５３０は、特に、黒文字又は色文字、網点上文字の再現性を高めるために、領域分離処理部２４００において領域分離された文字エッジ領域において、空間フィルタ処理における鮮鋭強調処理で高周波数の強調量を大きくする。また、空間フィルタ処理部２５３０は、網点領域に判定された領域に対して、入力網点成分を除去するためのローパス・フィルタ処理を施す。
【００６７】
また、その他領域に対しては、適応化混合フィルタ（高周波成分に対してはある程度の平滑化を行いつつ、低周波成分に対してはある程度の鮮鋭化を行うフィルタをかけることによって、網点とも文字とも判定しにくい領域（写真領域または原稿の下地領域を含む）についても最適な処理を行うことができる。
【００６８】
階調再現処理部２５５０は、各領域分離結果に応じた最適なスクリーンにて階調を再現できるようにする中間調処理を施す。
【００６９】
［２．２．２  ＰＵＳＨ処理部］
続いて、ＰＵＳＨ処理部２６００について説明する。まず、領域分離処理部２４００から出力されたＲＧＢ信号は、色補正部２６１０に入力される。色補正部２６１０は、色再現の忠実化実現のために、色補正を行う処理を実行し、色空間を変更せずにＲＧＢ信号を出力する。
【００７０】
色補正部２６１０から出力されたＲＧＢ信号は、空間フィルタ処理部２６２０に入力される。空間フィルタ処理部２６２０は、入力されたＲＧＢ信号の画像データに対し、領域分離処理部２４００による領域分離結果を基にデジタルフィルタによる空間フィルタ処理を行ない、空間周波数特性を補正することによって出力画像のぼやけやモアレを低減させる処理を実行する。そして、画像出力装置にＲＧＢ信号（画像データ）を送信する。
【００７１】
［２．３  領域分離処理部］
ここで、上述した領域分離処理部２４００について、図を用いて構成を説明する。領域分離処理部２４００は、図４に示すように、網点判定部２４１０と、網点上文字領域判定部２４２０と、文字エッジ判定部２４３０と、有彩無彩判定部２４４０と、網点・文字判定部２４５０とを有して構成されている。ここで、領域分離処理部２４００は、画像データとしてのＲＧＢ信号と、領域分離信号がそれぞれ出力されることとなる。
【００７２】
まず、入力されたＲＧＢ信号は、網点判定部２４１０と、文字エッジ判定部２４３０とに入力される。網点判定部２４１０は、ＲＧＢ信号から注目画素が網点領域であるかを判定する。
【００７３】
網点判定部２４１０は、網点領域は「小領域における濃度の変動が大きい」又は「背景に比べて網点の濃度が高い」という特徴を利用して網点領域を判定する処理を実行する。注目画素を中心としたＭ×Ｎ（Ｍ、Ｎは自然数）画素のブロック内で以下の処理１〜３が行われ、注目画素が網点領域に属する画素が否か判定される。この処理はＲＧＢ色毎に個別に行われ、そのいずれかにおいて注目画素が「網点画素」と判定された場合に、網点信号として「１」が出力され、そうでない場合には「０」が出力される。
【００７４】
処理１：ブロック内の中央の９画素に対して平均濃度値Ｄａｖｅを求め、その平均値を用いてブロック内の各画素を２値化する。また、最大値Ｄｍａｘ、最小値Ｄｍｉｎも同時に求める。
【００７５】
処理２：２値化されたデータに対して、「０」から「１」への変化点数、「１」から「０」への変化点数を、主走査方向（例えば、図５）、副走査方向（例えば図６）でそれぞれ求め、それぞれＫＲ、ＫＶとする。なお、本実施形態においては、図の中央に示す斜線で示された領域を対象となる画素として説明する。
【００７６】
処理３：最大値Ｄｍａｘから平均濃度値Ｄａｖｅを減じた値が閾値Ｂ１より大きく（Ｄｍａｘ−Ｄａｖｅ＞Ｂ１）、かつ、平均濃度値Ｄａｖｅから最小値Ｄｍｉｎを減じた値が閾値Ｂ２よりも大きく（Ｄａｖｅ−Ｄｍｉｎ＞Ｂ２）、かつ、変化点数ＫＲが閾値ＴＲよりも大きく（ＫＲ＞ＴＲ）、かつ、変化点数ＫＶが閾値ＴＶよりも大きい（ＫＶ＞ＴＶ）ならば、「網点画素」と判定され、前記条件を満たさなければ「非網点画素」と判定される。なお、網点領域ではないと判断され、更に後述する文字エッジ判定部２４３０にて文字エッジ領域ではないと判断された画素は、その他領域に分離される。
【００７７】
網点上文字領域判定部２４２０は、網点判定部２４１０より、ＲＧＢ信号と併せて、ＫＲ及びＫＶと、網点信号とが入力される。ここで、網点信号が「１」である場合に、網点上文字が存在する可能性がある領域かどうかの判定を行い、網点上文字領域信号を網点・文字判定部２４５０に出力する。
【００７８】
ここで、網点上文字領域判定は、網点判定部２４１０から入力されるＫＲとＫＶ、次の処理１〜３によって得られるＫ４５とＫ１３５を用いて行う。
【００７９】
処理１：ブロック内の中央の９画素に対して平均濃度値Ｄａｖｅを求め、その平均値を用いてブロック内の各画素を２値化する。また、最大値Ｄｍａｘ、最小値Ｄｍｉｎも同時に求める。
【００８０】
処理２：２値化されたデータに対して、０から１への変化点数、１から０への変化点数を、例えば、図７及び図８のように４５°方向、１３５°方向でそれぞれ求め、それぞれＫ４５、Ｋ１３５とする。
【００８１】
処理３：網点領域のブロック内に文字領域が含まれる場合に、直交する二方向の変化点数の差が生じることを利用して、下記の式で注目網点上文字領域であるかの判定を行う。
【数２】
2011223259.tif 000004
【００８２】
ここで、ＨＴ＿ＴＥＳＴが１であれば、網点上文字領域であるとして網点上文字領域信号「１」を出力し、０であれば、網点上文字領域でないとして網点上文字領域信号「０」を出力する。網点判定部２４１０からの網点信号が「０」の場合は、上記の処理１〜３を行わず、網点上文字領域信号「０」を網点・文字判定部２４５０に出力する。
【００８３】
他方、文字エッジ判定部２４３０は、ＲＧＢデータから注目画素が文字エッジであるかを判定する。具体的には、図９（ａ）及び（ｂ）に示す低周波エッジ検出フィルタ等により、注目画素が文字エッジであるかどうかの判定をし、文字エッジあればエッジ信号として「１」を有彩無彩判定部２４４０に出力し、文字エッジで無ければエッジ信号として「０」を有彩無彩判定部２４４０に出力する。
【００８４】
ここで、図９（ａ）は主走査方向のエッジ量ＥｄｇｅＸを算出するためのフィルタ係数Ｆｉｌａを示す。フィルタ係数Ｆｉｌａは７×７行列である。また、図９（ｂ）は副走査方向のエッジ量ＥｄｇｅＹを算出するためのフィルタ係数Ｆｉｌｂを示す。フィルタ係数Ｆｉｌｂは７×７行列である。
【００８５】
文字エッジ判定部２４３０は、Ｇデータについて判定を行う対象の注目画素（ｉ，ｊ）をフィルタ係数Ｆｉｌａ，Ｆｉｌｂでそれぞれ畳み込み処理して、主走査方向及び副走査方向のエッジ量ＥｄｇｅＸ（ｉ，ｊ），ＥｄｇｅＹ（ｉ，ｊ）を算出する。
【００８６】
ＥｄｇｅＸ（ｉ，ｊ）＝Ｍａｓｋ（ｉ，ｊ）＊Ｆｉｌａ
ＥｄｇｅＹ（ｉ，ｊ）＝Ｍａｓｋ（ｉ，ｊ）＊Ｆｉｌｂ
ただし、Ｍａｓｋ（ｉ，ｊ）＝｛Ｇ（ｉ＋ｘ，ｊ＋ｙ）｝，
−３≦ｘ≦３、−３≦ｙ≦３，｛｝は集合を表し、Ｇ（ｉ，ｊ）は画素（ｉ，ｊ）におけるＧ値である。
【００８７】
次に、文字エッジ判定部２４３０は、上述の式のように、エッジ量ＥｄｇｅＸ（ｉ，ｊ）及びＥｄｇｅＹ（ｉ，ｊ）の平均２乗和と閾値との大小を比較することによって低周波エッジであるか否かを判断する。
【００８８】
すなわち、和が閾値ＴＨｅｄｇｅ（例えば、「４５０」）以上である場合、文字エッジ判定部２４３０は、Ｅｄｇｅ （ｉ，ｊ）を１としてエッジであると判断し、「１」を出力する。他方、和が閾値ＴＨｅｄｇｅより小さい場合、文字エッジ判定部２４３０は、Ｅｄｇｅ（ｉ，ｊ）を０としてエッジでないと判断し、「０」を出力する。
【００８９】
すなわち、
【数３】
2011223259.tif 000005
と表されることとなる。
【００９０】
有彩無彩判定部２４４０は、文字エッジ判定部２４３０からＲＧＢ信号と共にエッジ信号が入力される。エッジ信号を受けて、注目画素が有彩色であるか無彩色であるかを判定し、当該判定結果に基づいて文字エッジ信号を網点文字・判定部２４５０に出力する。
【００９１】
網点・文字判定部２４５０は、網点判定部から入力される網点信号と、網点上文字領域判定部２４２０から入力される網点上文字領域信号と、有彩無彩判定部２４４０から入力される文字エッジ信号とを用いて網点か通常文字か網点上文字かその他の領域かを示す領域分離信号を出力する。なお、詳細は後述する。
【００９２】
［２．４  有彩無彩判定部］
ここで、上述した有彩無彩判定部２４４０の詳細について図を用いて説明する。図１０は、有彩無彩判定部２４４０の機能構成を示した図であり、最大値算出部２４４１と、最小値算出部２４４３と、差分器２４４５と、比較器２４４７と、有彩無彩文字エッジ判定部２４４９とを含んで構成されている。
【００９３】
有彩無彩判定部２４４０は、注目画素が有彩色であるか無彩色であるかの判定を行い、文字エッジ判定部２４３０からのエッジ信号が「１」であり、かつ、無彩判定であれば無彩文字を示す「０」を、有彩判定であれば有彩文字を示す「１」を出力する。
【００９４】
また、文字エッジ判定部２４３０からのエッジ信号が「０」であれば、その他の領域であることを示す信号として「２」を出力する。
【００９５】
具体的には、ＲＧＢ信号が最大値算出部２４４１及び最小値算出部２４４３に入力される。そして、最大値算出部２４４１及び最小値算出部２４４３において、注目画素のＲＧＢ信号の最大値と最小値がそれぞれ算出（検出）される。
【００９６】
次に、検出された最大値及び最小値が差分器２４４５に入力され、差分器２４４５において最大値と最小値の差分値が求められる。そして、差分器２４４５から比較器２４４７に対して差分値が出力される。
【００９７】
比較器２４４７は、入力された差分値が閾値ＴＨｃと比較し、差分値が閾値ＴＨｃ以下の場合には無彩と判定され、そうでない場合には有彩と判定される。つまり、注目画素におけるＲ・Ｇ・Ｂの差異が小さい場合には無彩色であると判定される。逆に、注目画素におけるＲ・Ｇ・Ｂの差異が大きい場合には有彩色であると判定される。そして、比較結果が比較器２４４７から有彩無彩文字エッジ判定部２４４９に出力される。
【００９８】
有彩無彩文字エッジ判定部２４４９は、文字エッジ判定部２４３０から入力されたエッジ信号と、比較器２４４７から入力された有彩無彩比較結果から、図１１のような文字エッジ信号を出力する。
【００９９】
ここで、図１１について説明すると、「エッジ信号」と「有彩無彩判定」との結果から「文字エッジ信号」が判定可能なテーブルとなっている。具体的には、
エッジ信号が「１」、有彩無彩判定が「０」の場合は「０」（無彩文字）が、
エッジ信号が「１」、有彩無彩判定が「１」の場合は「１」（有彩文字）が、
エッジ信号が「０」、有彩無彩判定が「０」の場合は「２」（その他）が、
エッジ信号が「０」、有彩無彩判定が「１」の場合は「２」（その他）が、
と、それぞれ判定されて出力される。
【０１００】
［２．５  網点・文字判定部］
続いて、網点・文字判定部２４５０について説明する。網点・文字判定部２４５０は、網点判定部２４１０からの網点信号と、網点上文字領域判定部２４２０からの網点上文字領域信号と、有彩無彩判定部２４４０からの文字エッジ信号とを用いて、通常文字（有彩・無彩）、網点上文字（有彩・無彩）、網点上文字（有彩・無彩）２、網点、その他の領域分離信号の生成を行う。
【０１０１】
この場合の判定に用いられるテーブルを図１２に示す。図１２に示すように、網点信号（例えば、「０」）と、網点上文字領域信号（例えば、「０」）と、文字エッジ信号（例えば、「０」）と、領域分離判定（例えば、「無彩通常文字」）とに対応づけて、領域分離信号（例えば、「０」）が記憶されている。
【０１０２】
そして、このテーブルに基づいて、領域分離信号が、下流側にある黒生成下色除去部２５２０、空間フィルタ処理部２５３０、階調再現処理部２５５０、空間フィルタ処理部２６２０に入力されることにより、各機能部は領域の種類に応じた適切な処理を実行することができる。
【０１０３】
なお、従来の技術は、文字エッジ判定と網点上文字領域判定の両方が判定された場合のみ、網点上文字と判断しており、例えば、コピー（印刷）では、網点写真の端が網点上文字と判定されないように網点上文字領域判定でＴＨ＿ＨＴｔｅｘｔを大きく設定して少なめに検出し、スキャン処理（ＰＵＳＨコピー）では多めに検出するということができなかった。
【０１０４】
これは、コピー（印刷）では、網点写真の端が網点上文字、特に無彩網点上文字と判定されると黒生成処理が行われギャップが目立ってしまうが、スキャン処理（ＰＵＳＨコピー）では、黒生成が存在しないのでコピーほど目立たない。
【０１０５】
また、網点上にある文字が網点上文字と判定されずに網点領域と誤判定されてしまうと、フィルタ処理により網点領域は平滑され、文字領域は強調されるので、ギャップが目立つ。そのため、スキャン処理（ＰＵＳＨコピー）では網点上文字を多めに検出した方が適切に処理が可能である。他方、コピー（印刷）は、網点写真の端のギャップと網点点上文字のギャップとのどちらを優先するかによって、網点上文字の検出量が決まる。
【０１０６】
そのため本実施形態では、文字エッジ判定と網点上文字領域判定の両方が判定された場合（すなわち、網点上文字領域信号「１」、文字エッジ信号が「０」又は「１」）のみ網点上文字判定とするだけではなく、文字エッジ判定はされているが、網点上文字領域判定がされていない場合（すなわち、網点上文字領域信号「０」、文字エッジ信号が「０」又は「１」）は、網点信号が「１」と出力されている場合には網点上文字判定２と判定する。また、それ以外は、網点と判定する。
【０１０７】
その上で、図１３のように網点上文字信号と網点信号は、コピー（印刷）・スキャン処理（ＰＵＳＨコピー）両方とも従来通りの処理を行い、網点上文字判定２は、コピー（印刷）では網点信号と同じ処理をし、スキャン処理（ＰＵＳＨコピー）では網点上文字信号と同じ処理する。これにより、コピー（印刷）では従来どおりの画質のまま、スキャン処理（ＰＵＳＨコピー）の網点上文字の再現性を向上させることが出来る。
【０１０８】
すなわち、本実施形態において、印刷（ＣＯＰＹ）に用いられる色空間（ＣＭＹＫ）と、画像データ（ＰＵＳＨ）として用いられる色空間（ＲＧＢ）とが異なる。従って、異なる色空間に応じたフィルタ処理を施すことにより、より適切な画像を形成・出力することが可能となる。
【０１０９】
以上、この発明の実施形態について図面を参照して詳述してきたが、具体的な構成はこの実施形態に限られるものではなく、この発明の要旨を逸脱しない範囲の設計等も特許請求の範囲に含まれる。
【０１１０】
また、上述した実施形態においては、画像処理装置を画像形成装置に適用下場合について説明したが、画像入力装置、画像処理装置及び画像出力装置を備えた電子機器（例えば、スキャナ装置とプリンタ装置とが接続されたコンピュータ）等においても実現可能なことは勿論である。
【０１１１】
また、本実施形態において、各機能部をソフトウェア（プログラム）で実現しても良い。この場合、同一の処理をプログラムで実現し、記憶部に記憶する。そして、制御部がプログラムを読み出して実行することにより、プログラムと各機能部（ハードウェア）とが協働して具体的に処理を実現することとなる。
【符号の説明】
【０１１２】
１００  画像処理装置
１  露光ユニット
２  現像器
３  感光体ドラム
４  クリーナユニット
５  帯電器
６  中間転写ベルトユニット
７  定着ユニット
１０  転写ローラ
１１ａ、１１ｂ  ピックアップローラ
１２ａ、１２ｂ、１２ｃ  搬送ローラ
１３  レジストローラ
６１  中間転写ベルト
６２  中間転写ベルト駆動ローラ
６３  中間転写ベルト従動ローラ
６４  中間転写ローラ
６５  中間転写ベルトクリーニングユニット
７１  ヒートローラ
７２  加圧ローラ
７３  外部定着ベルト
８１、８２  給紙カセット
９１  排紙トレイ
９２  原稿載置台
１１０  装置本体
１０００  制御部
２０００  画像処理部
２１００  Ａ／Ｄ変換部
２２００  シェーディング部
２３００  入力階調補正部
２４００  領域分離処理部
２４１０  網点判定部
２４２０  網点上文字領域判定部
２４３０  文字エッジ判定部
２４４０  有彩無彩判定部
２４４１  最大値算出部
２４４３  最小値算出部
２４４５  差分器
２４４７  比較器
２４４９  有彩無彩文字エッジ判定部
２４５０  網点・文字判定部
２５００  印刷処理部
２５１０  色補正部
２５２０  黒生成下色除去部
２５３０  空間フィルタ処理部
２５４０  出力階調補正部
２５５０  階調再現処理部
２６００  ＰＵＳＨ処理部
２６１０  色補正部
２６２０  空間フィルタ処理部
３０００  読取部
３２００  画像形成部
３４００  定着部
４０００  記憶部
５０００  表示部
６０００  入力部
７０００  インタフェース部
８０００  周辺装置制御部
【図１】
2011223259.tif 000006
【図２】
2011223259.tif 000007
【図３】
2011223259.tif 000008
【図４】
2011223259.tif 000009
【図５】
2011223259.tif 000010
【図６】
2011223259.tif 000011
【図７】
2011223259.tif 000012
【図８】
2011223259.tif 000013
【図９】
2011223259.tif 000014
【図１０】
2011223259.tif 000015
【図１１】
2011223259.tif 000016
【図１２】
2011223259.tif 000017
【図１３】
2011223259.tif 000018